(57)【要約】【課題】複数のＬＥＤを光源とした照明の光に対して、レンズを入れ替えることなく、一度に均一に配光を調節することができる照明器具を提供する。【解決手段】  本発明に係る照明器具１００は、複数のＬＥＤ２１を光源として配設する光源配設部２０と、光源配設部２０を取り付ける取付台２２と、光源配設部２０の発光面に対向して配置され、複数のＬＥＤ２１のそれぞれに対向するように複数のフレネルレンズ１１を平面状のレンズ枠１３に配設するレンズ配設板１０と、上記レンズ配設板１０を、レンズ配設板１０の垂直方向に移動させることにより、レンズ配設板１０と取付台２２に取り付けた光源配設部２０との距離ｍを変化させて、光源配設部２０からの光の配光を調節する配光調節機構３０とを備えた。【選択図】図４
2008218084.tif 000002
【特許請求の範囲】
【請求項１】
複数の発光ダイオード（ＬＥＤ）を光源として配設する光源配設部と、
光源配設部を取り付ける取付台と、
光源配設部の発光面に対向して配置され、上記複数のＬＥＤのそれぞれに対向するように複数のレンズを平面状のレンズ枠に配設するレンズ配設板と、
上記レンズ配設板を、レンズ配設板の垂直方向に移動させることにより、レンズ配設板と取付台に取り付けた光源配設部との距離を変化させて、光源配設部からの光の配光を調節する配光調節機構と
を備えたことを特徴とする照明器具。
【請求項２】
上記光源配設部は、
１つのＬＥＤを中心として所定の半径を有する円周上に、６つのＬＥＤが等間隔に配設され、
上記レンズは、
略正６角形の形状のレンズであり、
上記レンズ配設板は、
上記ＬＥＤが上記レンズの略中心軸上に位置するように、複数のレンズがそれぞれ複数のＬＥＤに対向してハニカム状に配設される
ことを特徴とする請求項１記載の照明器具。
【請求項３】
上記光源配設部は、
ハニカム形状を形成するように配置された複数の略正６角形の開口部と、
複数の上記開口部のそれぞれに対応して設けられ、底部にＬＥＤを配置する孔を有し孔から上記開口部にわたってすり鉢状に形成された複数のすり鉢部とを備え、
上記レンズは、
略正６角形の上記開口部と略同一形状のレンズであり、
上記レンズ配設板は、
複数の上記開口部によって形成されるハニカム形状と複数の上記レンズによって形成されるハニカム形状とが略同一形状となるように、複数の上記レンズが複数の上記開口部のそれぞれに対向するように平面状のレンズ枠に配設される
ことを特徴とする請求項１記載の照明器具。
【請求項４】
上記配光調節機構は、
レンズ配設板の複数カ所からレンズ配設板の垂直方向に、取付台に設けられた軸穴を通って渡設した軸と、
上記軸によって、取付台を挟んでレンズ配設板と略平行に連結された移動板と、
取付台と移動板との距離を調節することにより、レンズ配設板と光源配設部との距離を調節する距離調節手段と
を備えたことを特徴とする請求項１〜３のいずれかに記載の照明器具。
【請求項５】
上記移動板は、ネジ孔を有し、
上記距離調節手段は、
移動板の取付台側とは反対側に、移動板と略平行に位置する調節保持板を備えて取付台に設置される調節保持台と、
調節保持台の備える調節保持板を貫通して移動板のネジ孔と螺合するネジ棒とを備え、
上記ネジ棒は、
調節保持板の取付台側とは逆側の外側にネジ棒を回すためのつまみを有し、つまみを回してネジ棒と移動板のネジ孔との螺合位置を調節することにより
取付台と移動板との距離を調節することを特徴とする請求項４記載の照明器具。
【請求項６】
上記移動板は、ネジ孔を有し、
上記距離調節手段は、
移動板の取付台側とは反対側に、移動板と略平行に位置する調節保持板を備えて取付台に設置される調節保持台と、
調節保持台の備える調節保持板を貫通して移動板のネジ孔と螺合するネジ棒とを備え、
上記ネジ棒は、
調節保持板の取付台側とは逆側の外側にネジ棒を回すためのモータを有し、モータがネジ棒を回してネジ棒と移動板のネジ孔との螺合位置を調節することにより
取付台と移動板との距離を調節することを特徴とする請求項４記載の照明器具。
【請求項７】
上記距離調節手段は、さらに、
レンズ配設板と取付台との間に、張力を与えるための弾性体を備えることを特徴とする請求項４〜６いずれかに記載の照明器具。
【請求項８】
上記距離調節手段は、
レンズ配設板と取付台との間に備えられた弾性体と、
上記弾性体の張力により移動板と取付台との間に挟まれ、厚みに対してテーパーが付いているテーパー付き円板を少なくとも２つ以上重ねてなる円板厚み調節部とを備え、
上記距離調節手段は、
円板厚み調節部が備える少なくとも２つ以上のテーパー付き円板のそれぞれの厚みを組み合わせることにより円板厚み調節部の厚みを変化させ、上記弾性体の張力を利用して取付台と移動板との距離を調節することを特徴とする請求項４記載の照明器具。
【請求項９】
上記距離調節手段は、
レンズ配設板と取付台との間に備えられた弾性体と、
上記弾性体の張力により移動板と取付台との間に挟まれ、幅にテーパーが付いているテーパー付き調節棒を備え、
上記距離調節手段は、
テーパー付き調節棒を移動板と取付台との間で移動させることにより、テーパー付き調節棒の幅を変化させ、上記弾性体の張力を利用して取付台と移動板との距離を調節することを特徴とする請求項４記載の照明器具。
【請求項１０】
上記距離調節手段は、
レンズ配設板と取付台との間に備えられた弾性体と、
取付台の光源配設部側の面に、レンズ配設板を囲んで円形状に設けるネジ台と、
蓋状であって、レンズ配設板のレンズと重なる部分が開口している蓋開口部と開口していない部分であって少なくともレンズ配設板の一部と重なる縁部とからなる蓋上面部と、内側にネジ切り部を設けた側面とを有し、レンズ配設板に蓋をするように上記ネジ台と螺合する蓋カバー体とを備え、
上記蓋カバー体は、
上記弾性体の張力により位置するレンズ配設板を蓋上面部の縁部で押し込むようにしながら、ネジ台と蓋カバー体のネジ切り部とを螺合することにより、レンズ配設板と光源配設部との距離を調節することを特徴とする請求項４記載の照明器具。
【請求項１１】
上記配光調節機構は、
取付台の光源配設部側の面に、外側にネジ切り部を備え、光源配設部を囲むように設けた筒状のネジ台を備え、
上記レンズ枠は、
内側にネジ切り部を設けた筒状の側面部を有する蓋状であり、
上記配光調節機構は、
上記レンズ枠のネジ切り部と上記ネジ台のネジ切り部とを螺合させて螺合位置を調節することにより、レンズ配設板と光源配設部の距離を調節することを特徴とする請求項１〜３のいずれかに記載の照明器具。
【請求項１２】
上記配光調節機構は、さらに、
ネジ台の内側に設けられ、バネ力によって上下動自在に動作する位置決めピンを備え、
上記レンズ枠は、さらに、
所定の位置でレンズ配設板を停止するための、上記位置決めピンに嵌合する位置決め孔を備えることを特徴とする請求項１１に記載の照明器具。
【請求項１３】
ハニカム形状を形成するように配置された複数の略正６角形の開口部と、複数の上記開口部のそれぞれに対応して設けられ、底部に発光ダイオード（ＬＥＤ）を光源として配置する孔を有し孔から開口部にわたってすり鉢状に形成されたすり鉢部とを備えた光源配設部と、
略正６角形の上記開口部と略同一形状のレンズと、
上記光源配設部の発光面に対向して配置され、複数の上記開口部によって形成されるハニカム形状と複数の上記レンズによって形成されるハニカム形状とが略同一形状となるように、複数の上記レンズが複数の上記開口部のそれぞれに対向するように平面状のレンズ枠に配設されるレンズ配設板と
を備えることを特徴とする照明器具。
【発明の詳細な説明】
【技術分野】
【０００１】
本発明は、例えば、発光ダイオード（ＬＥＤ）を光源として備えた照明器具であり、特に、照明の配光を自在に調節することができる照明器具に関する。
【背景技術】
【０００２】
従来技術では、ＬＥＤを光源として用いた照明器具の配光を制御するために、配光の異なるレンズを交互に配置したレンズ体を、光源に対してスライドさせてＬＥＤに対応するレンズを切り替えることによって配光を変化させる技術が開示されている（特許文献１参照）。また、配光の異なるレンズを交互に配置した円型のレンズ体を、光源に対して回転させることによって、レンズを切り替えて配光を制御する技術が開示されている（特許文献２参照）。また、光源であるひとつのＬＥＤに対して、ＬＥＤから放出される光を反射鏡、非球面レンズ、光学特性を持ったレンズカバーの組み合わせで任意の距離に任意の照射パターンを形成する技術が開示されている（特許文献３参照）。
【特許文献１】特開２００４−１９９８９１号公報
【特許文献２】特開２００５−３１７５５７号公報
【特許文献３】特開２００６−２８６６１５号公報
【発明の開示】
【発明が解決しようとする課題】
【０００３】
従来の、特許文献１あるいは特許文献２のような照明器具では、照明の配光を制御するときに、レンズの種類を入れ替える必要があるという課題がある。さらに、レンズの種類を入れ替えて配光を調節するために、微妙な配光の調節が難しいという課題がある。また、特許文献３のような照明器具では、複数のＬＥＤによる照明の光に対して、一度に均一に配光を調節することが難しいという課題がある。
【０００４】
本発明は、例えば、上記のような課題を解決するためになされたものであり、レンズを入れ替えることなく照明の配光を調節することができ、さらに、微妙な調節を可能とする照明器具を提供することを目的とする。また、複数のＬＥＤによる照明の光に対して、一度に均一に配光を調節することができる照明器具を提供することを目的とする。
【課題を解決するための手段】
【０００５】
本発明に係る照明器具は、複数の発光ダイオード（ＬＥＤ）を光源として配設する光源配設部と、光源配設部を取り付ける取付台と、光源配設部の発光面に対向して配置され、上記複数のＬＥＤのそれぞれに対向するように複数のレンズを平面状のレンズ枠に配設するレンズ配設板と、上記レンズ配設板を、レンズ配設板の垂直方向に移動させることにより、レンズ配設板と取付台に取り付けた光源配設部との距離を変化させて、光源配設部からの光の配光を調節する配光調節機構とを備えたことを特徴とする。
【発明の効果】
【０００６】
本発明に係る照明器具は、複数の発光ダイオード（ＬＥＤ）を光源として配設する光源配設部と、光源配設部の発光面に対向して配置され、上記複数のＬＥＤのそれぞれに対向するように複数のレンズを平面状のレンズ枠に配設するレンズ配設板と、上記レンズ配設板を、レンズ配設板の垂直方向に移動させることにより、レンズ配設板と取付台に取り付けた光源配設部との距離を変化させて、光源配設部からの光の配光を調節する配光調節機構とを備えているので、照明の光の配光を調節するときにレンズの種類を入れ替えることなく容易に配光の調節ができるという効果を奏する。また、複数のＬＥＤの配光を一度に均一に調節することができるという効果を奏する。
【発明を実施するための最良の形態】
【０００７】
以下に、本発明の実施の形態について、図を用いて説明する。
【０００８】
実施の形態１．
図１は、実施の形態１に係る照明器具１００の光源配設部２０の一例を示す正面図である。図２は、実施の形態１に係る照明器具１００のレンズ配設板１０の一例を示す正面図である。図３は、実施の形態１に係る照明器具１００の一例を示す正面図である。図４は、実施の形態１に係る照明器具１００において図３のＡ方向からの側面視図である。
【０００９】
本実施の形態に係る照明器具１００は、図１に示す取付台２２に取り付けられた光源配設部２０と、図２に示すレンズ配設板１０とから構成されている。照明器具１００は、図３に示すように、光源配設部２０の発光面に対向するようにレンズ配設板１０を配置する。そして、照明器具１００は、図４に示すように、光源配設部２０の発光面に対向するようにレンズ配設板１０を配置して、レンズ配設板１０を垂直方向（Ｂ方向）に前後に移動させることにより、レンズ配設板１０と光源配設部２０との距離ｍを変化させて、光源配設部２０からの光の配光を調節する配光調節機構３０を備えるものである。
【００１０】
図１を用いて、複数のＬＥＤ２１を光源として配設した光源配設部２０について説明する。
【００１１】
光源配設部２０は、１つのＬＥＤ２１を中心として所定の半径を有する円周上に、６つのＬＥＤ２１が等間隔に配設されている。光源配設部２０における複数のＬＥＤ２１の配設位置は、これに限られるわけではなく、複数のＬＥＤ２１をどのように配置しても構わない。ただし、照明器具１００の意匠性や複数のＬＥＤから照射される光の均一性を考慮すると、等間隔に配置するのが好ましい。
【００１２】
取付台２２は、光源配設部２０を取り付ける台である。例えば、スポットライトのような照明器具の場合は、照明器具（スポットライト）の筐体の一部を構成している部分であり、光源配設部２０が取り付けられる部分である。
【００１３】
軸穴３１１は、後述する軸３１０を通すための孔である。図１では、光源配設部２０が略４角形であり、４つの角の外側付近に４つの軸穴３１１を設けている。軸穴３１１は、後述するレンズ配設板１０に固定された軸３１０を通すためのものであり、軸穴３１１の位置は、レンズ配設板１０に固定された軸３１０の配置位置に依存して決められる。
【００１４】
図２を用いて、上記光源配設部２０に対向して配置されるレンズ配設板１０について説明する。
【００１５】
レンズ配設板１０は、レンズ枠１３に同一の大きさの略正６角形のフレネルレンズ１１が７つ配設されている。７つのフレネルレンズ１１の配設位置は、１つのフレネルレンズ１１を中心として周囲に６つのフレネルレンズ１１を配置して、７つのフレネルレンズ１１でレンズハニカム部１２を形成している。
【００１６】
フレネルレンズ１１のそれぞれの大きさは、レンズ配設板１０を光源配設部２０に重ねたときに、光源配設部２０に配設された７つのＬＥＤのそれぞれが、それぞれのフレネルレンズ１１の略中心軸上に位置するような大きさに、設計されている。
【００１７】
レンズ枠１３には、後述する軸３１０を固定するための軸固定部１５が設けられている。
【００１８】
ここで、フレネルレンズ１１は、正６角形に限られるわけではなく、例えば、３角形（正３角形）、４角形（正４角形）、円形（楕円形）、８角形（正８角形）等の形状でも構わない。また、本実施の形態では、ひとつのＬＥＤに対してひとつのフレネルレンズ１１が対応するように形成されているが、これに限られるわけではなく、例えば、２つのＬＥＤに対してひとつのフレネルレンズを対応させても構わない。
【００１９】
ただし、光源である複数のＬＥＤ２１の配光を均一にするために、ひとつのＬＥＤに対して、ひとつのフレネルレンズ１１を対応させるのが好ましい。また、ひとつのＬＥＤに対してひとつのフレネルレンズ１１を対応させたときに、フレネルレンズの略中心軸上に対応するＬＥＤが位置するように設計するのが好ましい。また、レンズとレンズが隣り合うレンズブリッジ部１４は、ＬＥＤからの光の配光を阻害しないようになるべく細く形成するのが好ましい。
【００２０】
また、レンズの種類は、フレネルレンズに限られるわけではなく、光の配光を調節できるものであれば、非球面レンズ、プリズムレンズ等の他のレンズでも構わない。
【００２１】
図３は、実施の形態１に係る照明器具１００の正面図であって、レンズ配設板１０を光源配設部２０の発光面に対向して配置した場合の照明器具１００の正面図を示している。レンズ配設板１０を光源配設部２０に対向して配置したときに、フレネルレンズ１１のそれぞれの略中心軸上に、それぞれのＬＥＤ２１が位置するように、レンズ配設板１０を配置する。
【００２２】
次に、図４を用いて、実施の形態１に係る照明器具１００の配光調節機構３０について説明する。
【００２３】
軸３１０は、レンズ配設板１０の４カ所の軸固定部１５に固定されていて、軸固定部１５からレンズ配設板１０の垂直方向に延設され、取付台２２に設けられた軸穴３１１を通って取付台２２を貫通し、取付台２２の光源配設部２０側とは反対側で移動板３２に固定される。
【００２４】
移動板３２は、軸３１０によって、取付台２２を挟んでレンズ配設板１０と略平行に連結されている。
【００２５】
圧縮バネ３９は、レンズ配設板１０と取付台２２との間の４カ所の軸３１０部分に、備えられている。圧縮バネ３９は、弾性体の一例である。圧縮バネ３９によって、レンズ配設板１０と光源配設部２０との距離ｍが最大になった時でも、レンズ配設板１０と取付台２２との間に遊びが発生しないように、レンズ配設板１０と取付台２２との間にテンション（張力）がかけられている。このテンションによって、配光調節時におけるレンズ配設板１０の平面性を保つことができる。したがって、４カ所の軸３１０部分に備えられる圧縮バネ３９は、同一の張力を有する弾性体であることが好ましい。本実施の形態では、軸３１０部分に圧縮バネ３９を設置したが、これに限られるわけはなく、レンズ配設板１０と光源配設部２０との距離ｍが最大になった時でも、レンズ配設板１０と取付台２２との間に遊びが発生しないように弾性体を設置するのであればどこに設置しても構わない。しかし、このとき光源配設部２０からの光の配光を阻害しないようにする必要がある。
【００２６】
このように、レンズ配設板１０と軸３１０と移動板３２と圧縮バネ３９とで、一体構造となる一体構造部３１を構成している。一体構造部３１は、取付台２２を挟んでＢ（表裏垂直）往復方向に自在に可動可能である。しかし、圧縮バネ３９の張力により、一体構造部３１に何も力が加わっていないときは、レンズ配設板１０と光源配設部２０との距離ｍは最大値となっている。
【００２７】
配光調節機構３０は、後述する距離調節手段３８が移動板３２と取付台２２との距離ｌを調節することで、一体構造部３１をＢ往復方向に自在に移動させ、結果的にＬＥＤ２１の光の配光を制御することのできる機構である。すなわち、距離調節手段３８が、移動板３２と取付台２２との距離ｌを調節することにより、レンズ配設板１０と取付台２２に取り付けられた光源配設部２０との距離ｍを調節することができ、光源配設部２０から照射される光の配光パターンを制御することができる。
【００２８】
次に、移動板３２と光源配設部２０との距離ｌを調節する距離調節手段３８について説明する。
【００２９】
移動板３２には、ネジ切りを備えたネジ孔３６が設けられている。また、取付台２２の光源配設部２０側の反対側には、移動板３２と略平行に位置する調節保持板３４を備えた調節保持台３３が設置されている。調節保持台３３は、側面視が帽子断面状（又は、コ字状）であり、帽子断面の上面部分が調節保持板３４となっている。また、調節保持台３３は、帽子断面のつば部分で取付台２２に固定されている。
【００３０】
調節保持板３４には、移動板３２と略平行に設置された状態で、移動板３２の備えるネジ孔と重なる位置に、ネジ棒３５を通すための孔３４１が設けられている。孔３４１は、ネジ棒３５を通した状態で、ネジ棒３５が回転することのできる大きさの径を有する孔であり、ネジ切りを備えていない孔である。
【００３１】
ネジ棒３５は、調節保持板３４の外側の端部につまみ３７を備えており、孔３４１に挿入され、移動板３２のネジ孔３６に螺合される。つまみ３７の位置は、調節保持板３４の外側で保持される。つまみ３７をある一方向に回すことによって、ネジ棒３５と移動板３２のネジ孔３６との螺合位置が調節保持板３４に引き寄せられる。すなわち、取付台２２と調節保持板３４は固定されて動かずに、一体構造部３１が調節保持板３４に引き寄せられて、移動板３２と取付台２２との距離ｌが大きくなる。その結果、距離ｌが大きくなった分だけ、光源配設部２０とレンズ配設板１０との距離ｍは小さくなる。また、つまみ３７を上述の方向とは逆方向に回すことによって、ネジ棒３５と移動板３２のネジ孔３６との螺合位置が調節保持板３４から離れると、一体構造部３１は調節保持板３４から離れていき、移動板３２と取付台２２との距離ｌが小さくなる。その結果、光源配設部２０とレンズ配設板１０との距離ｍは大きくなる。このようにして、つまみ３７を回すことによって、光源配設部２０とレンズ配設板１０との距離ｍを調節することができる距離調節手段３８が構成されている。
【００３２】
また、実施の形態１に係る照明器具１００においては、移動板３２の取付台２２側の面（移動板内側面３２１）あるいは、移動板３２の調節保持板３４側の面（移動板外側面３２２）にストッパー３２３を設けてもよい。移動板外側面３２２にストッパーを設けることにより、移動板３２と取付台２２との距離ｌが大きくなりすぎることによる移動板３２と調節保持板３４との衝突を防止することができる。また、ストッパーの高さを調節することにより、レンズ配設板１０と光源配設部２０との衝突を防止することができる。また、移動板内側面３２１にストッパーを設けることにより、移動板３２と取付台２２との衝突を防止することができる。したがって、ストッパーは移動板内側面３２１及び移動板外側面３２２の両面に設置してもよい。
【００３３】
以上のように、実施の形態１の照明器具によれば、つまみ３７によってネジ棒３５を回転させることにより、容易に光源配設部２０に対するレンズ配設板１０の位置を変化させることができる。また、つまみネジの回し加減により、微妙な配光の制御も可能である。
【００３４】
実施の形態２．
実施の形態１では、つまみ３７によってネジ棒３５を回転させることにより、配光を制御する照明器具について説明したが、実施の形態２では、モータによってネジ棒３５を回転させる照明器具１００について説明する。
【００３５】
図５は、実施の形態２に係る照明器具１００の側面視図である。
【００３６】
実施の形態１（図４）に係る照明器具１００と同一の構成要素には同一の符号を付して、その説明を省略する。
【００３７】
実施の形態１の照明器具との相違点は、ネジ棒３５の調節保持板３４の外側の端部に、つまみ３７に替えてモータ４０を設置して、モータ４０によってネジ棒３５を回転させる点である。
【００３８】
モータ４０は、スイッチ４０１を備えている。スイッチ４０１には、ネジ右回り・ネジ左回り・切るを選択する切替機能を備えていてもよい。あるいは、レンズ配設板１０と光源配設部２０との距離ｌが段階的に広くなったり狭くなったりするように切り替えるスイッチ４０１でもよい。
【００３９】
あるいは、モータ４０をリモートコントローラーによりコントロールして、ネジ棒３５を回転させる機能を備えてもよい。
【００４０】
以上のように、実施の形態２に係る照明器具１００によれば、調節保持板３４の外側にネジ棒３５を回すためのモータ４０を有し、モータ４０がネジ棒３５を回してネジ棒３５と移動板３２のネジ孔３６との螺合位置を調節することにより、取付台２２と移動板３２との距離ｌを調節することができるので、例えば、照明器具を手の届かない高いところに設置した場合であっても、リモートコントロール等の操作により、配光パターンを制御することができる。また、モータ４０によるネジ棒３５の回し加減によって、微妙な配光の調節が可能である。
【００４１】
実施の形態３．
実施の形態３では、取付台２２を挟んで設置された一体構造部３１の移動板３２と取付台２２との間に、テーパー付きの円板を複数個備えて移動板３２と取付台２２との距離ｌを調節する方法について説明する。
【００４２】
図６は、実施の形態３に係る照明器具１００の側面視図である。
【００４３】
実施の形態１（図４）の照明器具と同一の構成要素については、同一の符号を付しその説明を省略する。
【００４４】
実施の形態３では、照明器具１００は、一体構造部３１の移動板３２と取付台２２との間に、２枚のテーパー付き円板Ａ５１、Ｂ５２からなる円板厚み調節部５０を備えている。
【００４５】
取付台２２に接しているテーパー付き円板Ｂ５２と、移動板内側面３２１に接しているテーパー付き円板Ａ５１とは、それぞれの略中心部分に２枚の円板を連結している中心軸を有している。移動板３２に接しているテーパー付き円板Ａ５１は、移動板内側面３２１に固定されており回転不可能である。また、取付台２２に接しているテーパー付き円板Ｂ５２は、円板つまみ５３を有し、中心軸を軸として回転可能に設置されている。テーパー付き円板Ａ５１とテーパー付き円板Ｂ５２との位置関係は、通常は、テーパー付き円板Ａ５１の円板の高さが最大の部分とテーパー付き円板Ｂ５２の円板の高さが最少の部分とが重なり合って、円板厚み調節部５０の上面と下面は平行な状態となり、テーパー付き円板Ａ５１は移動板内側面３２１に接し、テーパー付き円板Ｂ５２の面は取付台２２に接している状態である。
【００４６】
レンズ配設板１０と光源配設部２０との距離ｌを調節するには、円板つまみ５３を回すことによって、テーパー付き円板Ｂ５２を回転させ、テーパー付き円板Ａ５１の円板の高さが最大の部分とテーパー付き円板Ｂ５２の円板の高さが最少の部分とが重なる通常の状態（距離ｌが最小な状態）から、徐々にテーパー付き円板Ａ５１の円板の高さが最大の部分とテーパー付き円板Ｂ５２の円板の高さが最大の部分とが重なる状態（距離ｌが最大の状態）へと変化させる。このようにして、レンズ配設板１０と光源配設部２０との距離ｍを調節することができ、光源配設部２０から照射される光の配光を調節することができる。
【００４７】
このとき、圧縮バネ３９によって、レンズ配設板１０と取付台２２との間にはテンションがかかっているため、光源配設部２０に対するレンズ配設板１０の平面性は保たれる。
【００４８】
また、本実施の形態では、テーパー付き円板Ａ５１が移動板に固定されている場合について説明したが、これに限られるわけではなく、テーパー付き円板Ｂ５２が取付台２２に固定され、テーパー付き円板Ａ５１が回転するようにしてもよい。また、テーパー付き円板Ａ５１とテーパー付き円板Ｂ５２とがお互いに中心軸を軸として回転するようにしてもよい。
【００４９】
以上のように、実施の形態３の照明器具１００によれば、円板厚み調節部５０が備える少なくとも２つ以上のテーパー付き円板において、それぞれの円板の厚みを組み合わせることにより円板厚み調節部５０の厚みを変化させ、圧縮バネ３９（弾性体）の張力を利用して取付台２２と移動板３２との距離を調節することができるので、簡単な構造で調節機能を備えることができ、製造コストを抑えることができる。
【００５０】
実施の形態４．
実施の形態４では、取付台２２を挟んで設置された一体構造部３１の移動板３２と取付台２２との間に、テーパー付きの調節棒を挿入することによって移動板３２と取付台２２との距離ｌを調節する距離調節手段３８を備えた照明器具１００について説明する。
【００５１】
図７は、実施の形態４に係る照明器具１００の側面視図である。
【００５２】
実施の形態１（図４）の照明器具と同一の構成要素については、同一の符号を付してその説明を省略する。
【００５３】
実施の形態４に係る照明器具１００は、一体構造部３１の移動板３２と取付台２２との間に、テーパー付き調節棒６０を備えている。テーパー付き調節棒６０には、その高さ（幅）ｈが先端部６０１から徐々に高く（大きく）なっていくようにテーパーが形成されている。したがって、移動板３２と取付台２２との間にテーパー付き調節棒６０の先端部６０１を挿入して、挿入する距離ｎが長くなるにつれて、移動板３２と取付台２２との間の距離ｌが大きくなっていく。また、取付台２２とレンズ配設板１０との間には、圧縮バネ３９によってテンションがかけられているので、光源配設部２０に対するレンズ配設板１０の平面性は保たれる。
【００５４】
また、テーパー付き調節棒６０の、取付台２２と接する面には、ストッパー６１を設けている。ストッパー６１によって、移動板３２と取付台２２との間の距離ｌを段階的に固定することができる。ストッパー６１は、テーパー付き調節棒６０の取付台２２と接する面の１カ所に形成された凸部と、距離ｌの長さが段階的に変化するように複数の箇所でテーパー付き調節棒６０の凸部を固定するための凹部とから構成されている。凹部は、取付台２２のテーパー付き調節棒６０と接する面の複数箇所に形成される。上記凸部が上記凹部に嵌合して、ストッパー６１によってテーパー付き調節棒６０が段階的に固定される。
【００５５】
以上のように、実施の形態４の照明器具１００によれば、テーパー付き調節棒６０を移動板３２と取付台２２との間で移動させることにより、テーパー付き調節棒６０の幅（高さｈ）を変化させ、圧縮バネ３９（弾性体）の張力を利用して取付台２２と移動板３２との距離ｌを調節することができるので、簡単な構造で調節機能を備えることができ、製造コストを抑えることができる。
【００５６】
実施の形態５．
実施の形態５では、取付台２２を挟んで設置された一体構造部３１のレンズ配設板１０を、レンズ配設板１０のレンズハニカム部１２が隠れないように、レンズハニカム部１２部分が開口した蓋状の蓋カバー体８０で押し込むようにして、レンズ配設板１０と光源配設部２０との距離ｍを調節する機能を備えた照明器具１００について説明する。
【００５７】
図８は、実施の形態５に係る照明器具１００の正面図（ａ）及びＥ−Ｅ断面からの側面視図（ｂ）である。
【００５８】
実施の形態１（図４）と同一の構成要素については、同一の符号を付してその説明を省略する。
【００５９】
一体構造部３１のレンズ配設板１０と取付台２２との間には、圧縮バネ３９によってテンションがかかっている。このテンション（張力）は、一体構造部３１に何の力も加わっていないときには、レンズ配設板１０と光源配設部２０との距離ｍは最大値（移動板３２と取付台２２との距離ｌは最小値）になっており、遊びのない状態である。したがって、一体構造部３１に何の力も加わってない状態が、レンズ配設板１０と光源配設部２０との距離ｍが一番大きいということになる。したがって、圧縮バネ３９の張力に対向して、レンズ配設板１０の外側からＤ方向に力を加えることによって、距離ｍを最大値から徐々に小さくしていくことができる。
【００６０】
ネジ台８１は、レンズ配設板１０を囲むように円形状に設けられている。ネジ台８１の外側には、ネジ切り部８１１が設けられている。
【００６１】
蓋カバー体８０は、蓋状であって、レンズ配設板１０のレンズハニカム部１２と重なる部分が開口している蓋開口部８２と、開口していない部分であってレンズ配設板１０の一部（重なり部８５）と重なる縁部８３からなる蓋上面部８６と、内側にネジ台８１のネジ切り部８１１と螺合するネジ切り部８４１を設けた側面８４とを備えている。蓋カバー体８０は、圧縮バネ３９のテンション（張力）により位置するレンズ配設板１０を、蓋上面部８６の縁部８３で押し込むようにしながら、ネジ台８１のネジ切り部８１１と蓋カバー体８０のネジ切り部８４１とを螺合させる。蓋カバー体８０の縁部８３とレンズ配設板１０が重なる重なり部８５によってレンズ配設板１０が押し込まれる。蓋カバー体８０がレンズ配設板１０を押し込むにつれて、レンズ配設板１０と光源配設部２０との距離ｍが短くなる。また、蓋カバー体８０を押し込む回転とは逆に回転させることによりレンズ配設板１０と光源配設部２０との距離ｍが長くなる。このようにして、レンズ配設板１０と光源配設部２０との距離ｍを調節することができる。
【００６２】
以上のように、実施の形態５の照明器具１００によれば、蓋カバー体８０が、圧縮バネ３９の張力により位置するレンズ配設板１０を蓋上面部８６の縁部８３で押し込むようにしながら、ネジ台８１のネジ切り部８１１と蓋カバー体８０のネジ切り部８４１とを螺合することにより、レンズ配設板１０と光源配設部２０との距離ｍを調節することができるので、簡単な構造で配光調節機構３０を備えることができ、製造コストを抑えることができる。また、蓋カバー体８０とネジ台８１との螺合位置で調節することができるので、微妙な距離の調節も可能である。また、照明器具１００の発光面（表側）からの調節が可能となるので、利用者が容易に配光パターンの調節ができる。
【００６３】
実施の形態６．
実施の形態６の照明器具１００は、実施の形態１〜５の照明器具が備えている一体構造部３１を有しない場合の配光調節機構３０について説明する。
【００６４】
図９は、実施の形態６に係る照明器具１００の正面図（ａ）及びＦ−Ｆ断面からの側面視図（ｂ）である。
【００６５】
実施の形態１（図４）と同一の構成要素については、同一の符号を付してその説明を省略する。
【００６６】
本実施の形態に係る配光調節機構３０は、後述するレンズ配設蓋９０（レンズ配設板の一例）と取付台２２に設けられたネジ台７２とから構成されている。以下、その構成について説明する。
【００６７】
レンズ配設蓋９０は、レンズ枠９３の形状が内側にネジ切り部７３１を設けた筒状の側面部７３を有する蓋状になっている。したがって、レンズ配設蓋９０は、蓋部分（レンズ配設蓋９０の上面）にレンズハニカム部１２を備えた構造となっている。
【００６８】
ネジ台７２は、光源配設部２０を囲むように設けた筒状のネジ台７２であり、筒状のネジ台７２の外側にネジ切り部７２１を設けている。
【００６９】
レンズ配設蓋９０のネジ切り部７３１とネジ台７２のネジ切り部７２１と螺合させて、レンズ配設蓋９０と光源配設部２０との距離ｍを調節する。すなわち、利用者は、レンズ配設蓋９０をＣ往復回転方向に自在に回転させることによって、レンズ配設蓋９０の上面と光源配設部２０との距離ｍを調節して、所望の配光に調節することができる。
【００７０】
このとき、レンズハニカム部１２自体が回転しているため、利用者が所望の配光の位置でレンズ配設蓋９０を停止したときに、必ずしも、光源配設部２０のＬＥＤ２１がレンズハニカム部１２のフレネルレンズ１１の略中心に位置するとは限らない。そこで、利用者が所望の配光の位置でレンズ配設蓋９０を停止したときに、ＬＥＤ２１がフレネルレンズ１１の略中心に位置するように、本実施の形態の照明器具１００は、位置決めプランジャー７５（位置決めピンの一例）と位置決め孔７６とを備えている。
【００７１】
位置決めプランジャー７５は、ネジ台７２の内側に設けられ、バネ力によって上下動自在に動作する。また、位置決め孔７６は、レンズ配設蓋９０のレンズ枠９３に設けられ、レンズ配設蓋９０が回転して、各フレネルレンズ１１の略中心に各ＬＥＤ２１が位置する場所で、位置決めプランジャー７５がバネ力によって位置決め孔７６に嵌合するように設けられている。嵌合する力は、一旦、位置決めプランジャー７５と位置決め孔７６が嵌合しても、利用者が配光の調節を継続できる程度の嵌合力であることが好ましい。
【００７２】
以上のように、実施の形態６の照明器具１００によれば、簡単な構造で配光調節機能を備えることができ、製造コストを抑えることができる。また、レンズ配設蓋９０とネジ台７２との螺合位置で調節することができるので、微妙な距離の調節も可能である。また、照明器具１００の発光面（表側）からの調節が可能となるので、利用者が容易に配光パターンの調節をすることができる。
【００７３】
実施の形態７．
本実施の形態では、照明器具１００の光源配設部２０の他の例について説明する。
【００７４】
図１０は、実施の形態７に係る照明器具１００の光源配設部２０の一例を示す図である。
【００７５】
本実施の形態に係る照明器具１００の光源配設部２０には、同一の大きさの略正６角形の開口部２３が７つ配設されている。開口部２３は、１つの開口部２３を中心として周囲に６つの開口部２３を配置されハニカム形状となるように配設されている。
【００７６】
７つの開口部２３のそれぞれに対応して７つの孔２５が設けられている。孔２５には、その底部にＬＥＤ２１が光源として配置されている。
【００７７】
孔２５と開口部２３によって、孔２５の底部から開口部２３にわたってすり鉢状に形成されたすり鉢部２４を構成している。すなわち、ひとつのすり鉢部２４は、開口部２３が略正６角形のお椀型であって、その底部にＬＥＤ２１が備えられている。
【００７８】
光源配設部２０は、すり鉢部２４の有する略正６角形の開口部２３が、ひとつの開口部２３を中心として周囲に６つの開口部２３が配置されて開口部２３によってハニカム形状を形成するように、すり鉢部２４が配設されている。
【００７９】
したがって、本実施の形態に係る光源配設部２０の正面図は、図１０に示すようになものとなる。それぞれのすり鉢部２４のすり鉢状に形成された側面には、ＬＥＤ２１が照射する光を反射するための反射体を備えていてもよい。反射体を備えることにより、光源配設部２０のＬＥＤ２１から照射される光の光度が向上し、例えば、照明器具１００をスポットライト等として活用する場合等に好適である。
【００８０】
本実施の形態による光源配設部２０は、上述した実施の形態１〜６の照明器具１００の光源配設部として利用することができる。
【００８１】
以上のように、本実施の形態によれば、より意匠性にすぐれ、スポットライトにも好適な照明器具１００を提供することができる。
【図面の簡単な説明】
【００８２】
【図１】実施の形態１に係る照明器具１００の光源配設部２０の一例を示す正面図である。
【図２】実施の形態１に係る照明器具１００のレンズ配設板１０の一例を示す正面図である。
【図３】実施の形態１に係る照明器具１００の一例を示す正面図である。
【図４】実施の形態１に係る照明器具１００において図３のＡ方向からの側面視図である。
【図５】実施の形態２に係る照明器具１００の側面視図である。
【図６】実施の形態３に係る照明器具１００の側面視図である。
【図７】実施の形態４に係る照明器具１００の側面視図である。
【図８】実施の形態５に係る照明器具１００の正面図（ａ）及び側面視図（ｂ）である。
【図９】実施の形態６に係る照明器具１００の正面図（ａ）及び側面視図（ｂ）である。
【図１０】実施の形態７に係る照明器具１００の光源配設部２０の他の例を示す図である。
【符号の説明】
【００８３】
１０  レンズ配設板、１１  フレネルレンズ、１２  レンズハニカム部、１３  レンズ枠、１４  レンズブリッジ部、１５  軸固定部、２０  光源配設部、２１  ＬＥＤ、２２  取付台、２３  開口部、２４  すり鉢部、２５  孔、３０  配光調節機構、３１  一体構造部、３２  移動板、３３  調節保持台、３４  調節保持板、３５  ネジ棒、３６  ネジ孔、３７  つまみ、３８  距離調節手段、３９  圧縮バネ、４０  モータ、５０  円板厚み調節部、５１  テーパー付き円板Ａ、５２  テーパー付き円板Ｂ、５３  円板つまみ、６０  テーパー付き調節棒、６１  ストッパー、７２  ネジ台、７３  側面部、７５  位置決めプランジャー、７６  位置決め孔、８０  蓋カバー体、８１  ネジ台、８２  蓋開口部、８３  縁部、８４  側面、８５  重なり部、８６  蓋上面部、９０  レンズ配設蓋、９３  レンズ枠、１００  照明器具、２２１  取付台裏側面、３１０  軸、３１１  軸穴、３２１  移動板内側面、３２２  移動板外側面、３２３  ストッパー、３４１  孔、４０１  スイッチ、６０１  先端部、７２１  ネジ切り部、７３１  ネジ切り部、８１１  ネジ切り部、８４１  ネジ切り部。
【図１】
2008218084.tif 000003
【図２】
2008218084.tif 000004
【図３】
2008218084.tif 000005
【図４】
2008218084.tif 000006
【図５】
2008218084.tif 000007
【図６】
2008218084.tif 000008
【図７】
2008218084.tif 000009
【図８】
2008218084.tif 000010
【図９】
2008218084.tif 000011
【図１０】
2008218084.tif 000012